(57)【要約】【課題】ユーザが紛失した電子鍵を無効化できる電気錠システムを提供する。【解決手段】ＨＥＭＳ３０は、情報サーバ９０を介して、携帯情報端末８２から送信された電子鍵を特定する情報及び当該電子鍵を無効化する指令を受信する。また、ＨＥＭＳ３０は、受信した電子鍵を特定する情報及び当該電子鍵を無効化する指令に基づいて、当該電子鍵を無効化する処理を行うと共に、無効化された電子鍵が電気錠５２で使用された場合に、当該電子鍵での電気錠５２の解錠及び施錠の操作を禁止する。【選択図】図１
2015218566.tif 000002
【特許請求の範囲】
【請求項１】
電子鍵のＩＤ情報を取得し、取得したＩＤ情報が登録者に対応付けられている場合に施錠又は解錠が可能な電気錠と、
携帯情報端末から前記電子鍵を特定する情報及び前記電子鍵を無効化する指令を受信する受信手段と、
前記受信した前記電子鍵を特定する情報及び前記電子鍵を無効化する指令に基づいて、前記電子鍵を無効化する処理を行うと共に、該無効化された電子鍵が前記電気錠で使用された場合に前記電気錠の解錠及び施錠の操作を禁止する制御手段と、
を備えた電気錠システム。
【請求項２】
前記電子鍵を特定する情報は、前記ＩＤ情報及びパスワードである請求項１に記載の電気錠システム。
【請求項３】
前記携帯情報端末は、前記電子鍵を特定する情報及び前記電子鍵を無効化する指令と共に、前記携帯情報端末を特定するための端末ＩＤを送信し、
前記制御手段は、前記端末ＩＤが前記電子鍵を特定する情報と対応付けられたものの場合に、前記電子鍵を無効化する処理を行う請求項１又は２に記載の電気錠システム。
【請求項４】
前記電子鍵を特定する情報及び前記端末ＩＤに優先順位が対応付けられており、
前記制御手段は、高位の優先順位が対応付けられた端末ＩＤの携帯情報端末から送信された下位の優先順位が対応付けられた電子鍵を特定する情報及び該電子鍵を無効化する指令に基づいて、下位の優先順位が対応付けられた電子鍵を無効化する処理を行うと共に、該無効化された電子鍵が前記電気錠で使用された場合に前記電気錠の解錠及び施錠の操作を禁止する請求項３に記載の電気錠システム。
【発明の詳細な説明】
【技術分野】
【０００１】
本発明は、建物における電気錠システムに関する。
【背景技術】
【０００２】
ＩＣタグ等に個人を識別するＩＤ情報を記録した電子鍵は、電気錠の解錠及び施錠において、建物の居住者等のユーザか否かを識別し、ユーザである場合には、電気錠の解錠又は施錠等の操作を可能にするために用いられる。しかしながら、本来のユーザが電子鍵を紛失した場合、ユーザでない第三者に拾得され悪用されるおそれがあった。特許文献１には、複数存在する電子鍵のうち、紛失した電子鍵をディーラーで無効化処理する技術が開示されている。
【先行技術文献】
【特許文献】
【０００３】
【特許文献１】特開２０１３−６０７４１号公報
【発明の概要】
【発明が解決しようとする課題】
【０００４】
しかしながら、特許文献１に記載の技術では、無効化処理はユーザ本人ではなく、ディーラーが行うので、その無効化処理に時間がかかり、結果として紛失した電子鍵の悪用を許してしまうおそれがあるという問題点があった。
【０００５】
本発明は、上記事実を考慮して成されたもので、ユーザが紛失した電子鍵を無効化できる電気錠システムを提供することを目的とする。
【課題を解決するための手段】
【０００６】
上記課題を解決するための請求項１の発明は、電子鍵のＩＤ情報を取得し、取得したＩＤ情報が登録者に対応付けられている場合に施錠又は解錠が可能な電気錠と、携帯情報端末から前記電子鍵を特定する情報及び前記電子鍵を無効化する指令を受信する受信手段と、前記受信した前記電子鍵を特定する情報及び前記電子鍵を無効化する指令に基づいて、前記電子鍵を無効化する処理を行うと共に、該無効化された電子鍵が前記電気錠で使用された場合に前記電気錠の解錠及び施錠の操作を禁止する制御手段と、を備える。
【０００７】
請求項１に記載の発明によれば、携帯情報端末から送信された電子鍵を特定する情報及び電子鍵を無効化する指令に基づいて電子鍵を無効化することができる。
【０００８】
請求項２の発明は、請求項１に記載の発明において、前記電子鍵を特定する情報は、前記ＩＤ情報及びパスワードである。
【０００９】
請求項２に記載の発明によれば、携帯情報端末から電子鍵を無効化する指令を受信した場合に、共に受信したＩＤ情報及びパスワードに基づいて、電子鍵の無効化の適否を判定できる。
【００１０】
請求項３の発明は、請求項１又は２に記載の発明において、前記携帯情報端末は、前記電子鍵を特定する情報及び前記電子鍵を無効化する指令と共に、前記携帯情報端末を特定するための端末ＩＤを送信し、前記制御手段は、前記端末ＩＤが前記電子鍵を特定する情報と対応付けられたものの場合に、前記電子鍵を無効化する処理を行う。
【００１１】
請求項３に記載の発明によれば、携帯情報端末から電子鍵を無効化する指令を受信した場合に、指令の送信に係る携帯情報端末の端末ＩＤに基づいて、電子鍵の無効化の適否を判定できる。
【００１２】
請求項４の発明は、請求項３に記載の発明において、前記電子鍵を特定する情報及び前記端末ＩＤに優先順位が対応付けられており、前記制御手段は、高位の優先順位が対応付けられた端末ＩＤの携帯情報端末から送信された下位の優先順位が対応付けられた電子鍵を特定する情報及び該電子鍵を無効化する指令に基づいて、下位の優先順位が対応付けられた電子鍵を無効化する処理を行うと共に、該無効化された電子鍵が前記電気錠で使用された場合に前記電気錠の解錠及び施錠の操作を禁止する。
【００１３】
請求項４に記載の発明によれば、優先順位が高位の携帯情報端末から、優先順位が低位の電子鍵を無効化することができる。
【発明の効果】
【００１４】
以上説明したように、請求項１に記載の発明は、ユーザが、携帯情報端末から電子鍵を特定する情報及び電子鍵を無効化する指令を送信することにより、当該電子鍵をユーザが無効化することができるという効果を有する。
【００１５】
請求項２に記載の発明によれば、電子鍵を無効化する指令と共に受信したＩＤ情報及びパスワードに基づいて、電子鍵の無効化の適否を判定ことにより、ユーザが紛失した電子鍵を無効化する際のセキュリティを確保できるという効果を有する。
【００１６】
請求項３に記載の発明によれば、電子鍵を無効化する指令の送信に係る携帯情報端末の端末ＩＤに基づいて、電子鍵の無効化の適否を判定することにより、ユーザが紛失した電子鍵を無効化する際のセキュリティを確保できるという効果を有する。
【００１７】
請求項４に記載の発明によれば、小人等の電子鍵の優先順位を低位に設定することにより、大人等の優先順位が高い電子鍵を持つ者が、小人等が紛失した電子鍵を無効化することができる。
【図面の簡単な説明】
【００１８】
【図１】本発明の実施の形態に係る電気錠システムの一例を示す概略図である。
【図２】本発明の実施の形態に係る電気錠システムにおけるＨＥＭＳの概略構成を示すブロック図である。
【図３】本発明の実施の形態に係る電気錠システムにおいてＨＥＭＳに記憶されている電子鍵対応表の一例を示す概略図である。
【図４】本発明の実施の形態に係る電気錠システムにおける携帯情報端末での電子鍵を無効化する処理の一例を示すフローチャートである。
【図５】本発明の実施の形態に係る電気錠システムにおける情報センターでの電子鍵を無効化する処理の一例を示すフローチャートである。
【図６】本発明の実施の形態に係る電気錠システムにおけるにおけるＨＥＭＳ３０での電子鍵を無効化する処理の一例を示すフローチャートである。
【図７】本発明の実施の形態に係る電気錠システムにおいて特定の電子鍵を無効化した後の電子鍵対応表の一例を示す概略図である。
【発明を実施するための形態】
【００１９】
以下、図面を参照して本実施の形態の一例を詳細に説明する。図１は、本実施の形態に係る電気錠システム１０の一例を示す概略図である。本実施の形態では、系統電力１２からの電力が、主幹ブレーカー１１０を介して建物１００の分電盤１４に供給されている。
【００２０】
主幹ブレーカー１１０の分電盤１４側には、系統電力１２から供給される電力の電流値を検知する主幹ブレーカー電流センサ１２０が設けられている。系統電力１２から分電盤１４に供給された電力は、分岐回路２０Ａ〜２０Ｅを介して寝室５６及びリビング５８に設置された電力負荷手段並びにドア６６に設けられた電気錠５２に分配されている。
【００２１】
本実施の形態では、一例として、分岐回路２０Ａ、２０Ｂはベッド６８を備えた寝室５６に導かれ、分岐回路２０Ａはエアコン１８に、分岐回路２０Ｂは照明２６に接続されている。また、分岐回路２０Ｃ、２０Ｄはリビング５８に導かれ、分岐回路２０Ｃはテレビ３２に、分岐回路２０Ｄは照明２８に接続されている。また、分岐回路２０Ｅは電気錠５２に接続されている。
【００２２】
分岐回路２０Ａ〜２０Ｅには分岐回路２０Ａ〜２０Ｅの電流値を計測する電流センサ２２Ａ〜２２Ｅが各々設けられている。電流センサ２２Ａ〜２２Ｅからの情報線は、主幹ブレーカー電流センサ１２０からの情報線と住宅内のエネルギーの管理や制御を行うＨＥＭＳ３０が分電盤１４を制御するための情報線と共にＨＥＭＳ３０に接続されている。なお、図１において破線は計測データ又は制御情報が流れる情報線であるとする。電流センサ２２Ａ〜２２Ｅが検知した電流値は当該電流値が検知された時に対応付けられて、電流センサ２２Ａ〜２２Ｅの検知結果としてＨＥＭＳ３０のメモリに記憶される。また、ＨＥＭＳ３０には、タッチパネル等の入力装置と液晶パネル等の表示装置とを備えた室内操作盤７２が接続されている。室内操作盤７２は、建物１００内の任意の場所に設置できるが、本実施の形態では、リビング５８に設置する。本実施の形態では、ＨＥＭＳ３０と室内操作盤７２とが別々に設けられ、各々に表示部及び操作部が設けられた構成としているが、ＨＥＭＳ３０に表示部４６及び操作部４８が設けられているので、ＨＥＭＳ３０を室内に設けて室内操作盤７２を省くこともできる。
【００２３】
分電盤１４の分岐回路２０Ａ〜２０Ｅには、分岐回路２０Ａ〜２０Ｅをオン状態又はオフ状態に切り替えるための分岐ブレーカー２４Ａ〜２４Ｅが各々設けられ、分岐ブレーカー２４Ａ〜２４Ｅは、ＨＥＭＳ３０によって制御される。なお、図１では、記載の簡略化のために分岐回路は５系統のみ記載しているが、本実施の形態では５系統以上でも５系統以下でもよく、分岐回路の本数に特段の限定はない。
【００２４】
また、ＨＥＭＳ３０には電気錠５２が接続されている。ＨＥＭＳ３０は電気錠５２にＩＣタグを応用した電子鍵等によって入力された認証情報が適正か否かを判定し、肯定判定の場合には電気錠５２の施錠又は解錠を行う。電気錠５２を解錠するための認証情報は、例えば、各々の電子鍵に固有のＩＤ情報であって、登録されたユーザに対応付けることにより、当該ＩＤ情報でユーザである居住者を特定する。ＩＤ情報は、例えば、複数の文字又は記号を含み、電子鍵毎、言い換えれば居住者毎に異なる構成となっている。
【００２５】
ＩＤ情報は、居住者が寝室５６及びリビング５８に入室する場合にも、寝室５６のドア６２付近及びリビング５８のドア７０付近に各々設けられた認証器（図示せず）で読み取り、建物１００内でのユーザの動向を把握するようにしてもよい。
【００２６】
ＩＣタグを用いた電子鍵には、以下の２種類のタイプが存在する。１つは、自らＩＤ情報を含んだ電波を認証器に発信するアクティブ型。もう１つは、認証器に近づけた場合に認証器からの電磁波で電力が一時的にチャージされ、チャージされた電力でＮＦＣ（Near Field Communication）によるＩＤ情報の送信を行うパッシブ型である。本実施の形態では、アクティブ型及びパッシブ型のいずれでもよいが、居住者が電子鍵の操作を意識せずに扱える点でアクティブ型は優れるので、以下、アクティブ型の電子鍵を用いることを前提に本実施の形態に係る電気錠システム１０について説明する。
【００２７】
ユーザの登録は、ユーザの情報及び当該ユーザが所持する電子鍵に固有のＩＤ情報を含む情報をＨＥＭＳ３０のメモリ５０に記憶させることによって行う。図３は、本実施の形態に係る電気錠システム１０においてＨＥＭＳ３０に記憶されている電子鍵対応表の一例を示す概略図である。図３では、「ユーザ名」に電子鍵の「ＩＤ情報」、「パスワード」、電子鍵の「有効期限」、当該電子鍵が有効か否かを示す「有効」フラグ及びユーザの携帯情報端末の「端末ＩＤ」の各項目が記載されている。
【００２８】
本実施の形態では、例えば、室内操作盤７２に電子鍵のＩＤ情報を読取る認証器を備えておき、ユーザは未登録の電子鍵を室内操作盤７２の認証器に近づけて当該電子鍵のＩＤ情報を読取らせる。その後は、室内操作盤７２に表示される指示に従って、「ユーザ名」、「パスワード」さらには「端末ＩＤ」の各項目を入力して、ユーザ及び電子鍵の登録をする。かかる登録により、図３に示すような電子鍵対応表が作成され、ＨＥＭＳ３０のメモリに記憶される。その他にもＩＤ情報は、電子鍵を電気錠５２に登録する際の電子鍵と電気錠５２との通信を利用してＨＥＭＳ３０（又はＨＥＭＳ３０と室内操作盤７２とが一体の場合には室内操作盤７２）に登録することもできる。
【００２９】
「パスワード」は、登録後に「ユーザ名」等の事項を変更する等の際にユーザを識別するために用いられる。また、「端末ＩＤ」は、後述するように、携帯情報端末８２を用いて電子鍵を無効化する際に、ユーザの携帯情報端末８２であるか否かを識別するために用いられる。
【００３０】
なお、電子鍵を登録した後は、「ユーザ名」と電子鍵の「ＩＤ情報」とが対応付けられるので、以後、電子鍵の「ＩＤ情報」は、当該電子鍵を所持するユーザの「ＩＤ情報」とみなしてよい。又は、電子鍵のＩＤ情報とは別に、ユーザのＩＤ情報を別途設定し、ユーザのＩＤ情報も、電子鍵を無効化する場合に、無効化処理を要求する者がユーザであるか否かの判定に使用してもよい。また、ユーザ、ユーザが所持する電子鍵及び端末ＩＤに優先順位を対応付け、優先順位が高位のユーザは、優先順位が下位のユーザの電子鍵での操作の禁止及び操作禁止の解除が可能であってもよい。ユーザの優先順位は、例えば、図３に示すような電子鍵対応表に記載する。例えば、ＨＥＭＳ３０は、高位の優先順位が対応付けられた端末ＩＤの携帯情報端末８２から送信された下位の優先順位が対応付けられたＩＤ情報及び当該ＩＤ情報に係る電子鍵を無効化する指令に基づいて、該当する電子鍵を無効化する。また、無効化された電子鍵が電気錠５２で使用された場合に電気錠５２の解錠及び施錠の操作を禁止する。
【００３１】
ＨＥＭＳ３０にはゲートウェイである終端装置５４が接続されており、終端装置５４を介してネットワーク８０に接続されている。ネットワーク８０には、住居及びホームセキュリティ等に関する情報を建物１００に提供する情報センターの情報サーバ９０が接続されており、ＨＥＭＳ３０は、情報サーバ９０から住まい及びホームセキュリティの情報を適宜取得可能である。さらには、ユーザの携帯情報端末８２から情報センターを介したネットワーク経由での電気錠システム１０の操作を可能とする。
【００３２】
ＨＥＭＳ３０は、上述の登録によって作成した電子鍵対応表を、ネットワーク８０を介して情報センターの情報サーバ９０にアップロードする。情報センターは、アプロードされた電子鍵対応表を情報サーバ９０に記憶し、後述する携帯情報端末８２を用いた電子鍵の無効化処理において、ユーザ及びユーザが所持している携帯情報端末８２を識別するために使用する。信頼できる暗号処理による通信が可能であれば、携帯情報端末８２から電気錠５２に登録された電子鍵のＩＤ情報等を情報センターの情報サーバ９０に登録できるようにしてもよい。
【００３３】
図２は、本実施の形態に係る電気錠システムに係るＨＥＭＳ３０の概略構成を示すブロック図である。ＨＥＭＳ３０は、コンピュータを含んで構成されており、図２に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００３４】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができる。さらには、表示装置及び入力装置を備えた室内操作盤７２を、表示部４６及び操作部４８として用いてもよい。本実施の形態では、ＨＥＭＳ３０と室内操作盤７２とが別々に設けられ、各々に表示部及び操作部が設けられた構成としているが、ＨＥＭＳ３０に表示部４６及び操作部４８が設けられているので、ＨＥＭＳ３０を室内に設けて室内操作盤７２を省くこともできる。
【００３５】
表示部４６には、建物１００の消費電力量及び電気錠５２の稼働状況等の情報が表示可能である。メモリ５０には、分岐ブレーカー２４Ａ〜２４Ｅを制御するプログラム、電流センサ２２Ａ〜２２Ｅの検知結果に基づいて建物１００での消費電力量を算出するプログラム、電気錠５２を制御するプログラム及びこれらのプログラムを実行するための各種情報等が記憶されている。ＨＥＭＳ３０は、ＲＯＭ３８に記憶されたプログラムをＣＰＵ３６で実行することにより、建物１００へ供給する電力の制御等の各種制御、消費電力量の算出及び電気錠５２の制御を行うようになっている。
【００３６】
建物１００の消費電力量は、電流センサ２２Ａ〜２２Ｅが検知した電流値から算出可能である。分電盤１４から供給される電圧は略１００Ｖなので、本実施の形態では各電流センサが検知した電流値に１００を乗算することで、消費電力量を算出する。しかしながら、電圧の変動が大きい分岐回路では、別途電圧を測定する手段を設けてもよい。また、ＨＥＭＳ３０の入出力ポート４２には、分電盤１４、電気錠５２及び終端装置５４等が接続されている。
【００３７】
続いて、本実施の形態に係る電気錠システム１０の作用並びに効果について説明する。図４は、本実施の形態に係る電気錠システム１０における携帯情報端末８２での電子鍵を無効化する処理の一例を示すフローチャートである。ステップ３００では、スマートフォン等の携帯情報端末８２の表示画面上で電子鍵を無効化するためのボタンを押す。携帯情報端末８２には、電子鍵を無効化する処理に係るアプリがインストールされているものとする。
【００３８】
ステップ３０２では、ユーザが画面表示に従ってユーザの電子鍵を識別する情報を入力する。ユーザを識別する情報は、ユーザの電子鍵のＩＤ情報、携帯情報端末８２の端末ＩＤ、さらにはパスワードである。携帯情報端末８２は、入力された事項を情報サーバに送信して処理を終了する。電子鍵のＩＤ情報とは別に、ユーザのＩＤ情報を設定した場合には、上記の電子鍵のＩＤ情報、携帯情報端末８２の端末ＩＤ及びパスワードに加えてユーザのＩＤ情報も送信する。また、これらＩＤ情報は、予め、携帯情報端末８２のメモリに記憶しておき、ステップ３００で電子鍵を無効化するためのボタンを押した時に、メモリから読み出され、ステップ３０２では、パスワードのみをユーザが入力することで、上記のＩＤ情報等が送信されるようにしてもよい。
【００３９】
図５は、本実施の形態に係る電気錠システム１０における情報センターでの電子鍵を無効化する処理の一例を示すフローチャートである。ステップ４００では、携帯情報端末８２から送信されたユーザの電子鍵のＩＤ情報、携帯情報端末８２の端末ＩＤ、パスワードが情報センターに登録されている情報と一致しているか否かを判定する。具体的には、ＨＥＭＳ３０から情報サーバ９０にアップロードされた電子鍵対応表を参照して、電子鍵のＩＤ情報、携帯情報端末８２の端末ＩＤ及びパスワードの適否を判定する。また、ユーザのＩＤ情報を別途設定した場合には、当該ユーザのＩＤ情報の適否も判定する。
【００４０】
ステップ４００で肯定判定の場合には、ステップ４０２では、ＨＥＭＳ３０に対して、無効化する電子鍵のＩＤ情報と、当該電子鍵での電気錠５２の操作を禁止するコマンドを送信して処理を終了する。ステップ４００で否定判定の場合には、ステップ４０４で携帯情報端末８２に図４の操作をやり直す旨のメッセージを送信して処理を終了する。
【００４１】
ＨＥＭＳ３０は、ステップ４０２で送信された情報に基づいて、該当する電子鍵の操作を禁止することにより電子鍵を無効化する。図６は、本実施の形態に係る電気錠システム１０におけるＨＥＭＳ３０での電子鍵を無効化する処理の一例を示すフローチャートである。ステップ５００では、情報センターから送信された無効化する電子鍵のＩＤ情報と、当該電子鍵での電気錠５２の操作を禁止するコマンドを受信する。ステップ５０２では、受信したコマンドに基づいて、該当する電子鍵による電気錠５２の解錠及び施錠を禁止する処理をする。電子鍵を無効化して電気錠５２の操作を禁止するには、一例として、図７のようなメモリ５０に予め記憶してある電子鍵のＩＤ情報とユーザとを対応付けた電子鍵対応表の「有効」のフラグをオフにする。
【００４２】
図７では、ユーザＢの電子鍵で「有効」のフラグがオフになっている。ＨＥＭＳ３０は、電気錠５２の操作に使用された電子鍵のＩＤ情報に対応する「有効」のフラグがオフになっている場合は、当該電子鍵での電気錠５２の操作を禁止する。また、ＨＥＭＳ３０は、「有効」のフラグをオフにする等の変更が生じた電子鍵対応表を、情報センターの情報サーバ９０にアップデートする。
【００４３】
ステップ５０４では、無効化された電子鍵による電気錠５２の操作禁止を解除する指示を情報センターから受信したか否かを判定し、肯定判定の場合には、該当する電子鍵の無効化を解除して処理を終了する。ステップ５０４で否定判定の場合には、手順をステップ５０２に戻し、該当する電子鍵での電気錠５２の操作の禁止を継続する。
【００４４】
以上説明したように本実施の形態では、電子鍵を紛失した等の場合に、ユーザが携帯情報端末８２を用いて、紛失した電子鍵の情報を送信することにより、当該電子鍵による電気錠５２の操作を禁止することができる。これにより、ユーザが紛失した電子鍵を無効化できる電気錠システムを提供することが可能になる。
【００４５】
なお、本実施の形態では、図４〜６を用いて、電子鍵を無効化する処理について説明した。本実施の形態では、無効化された電子鍵を有効化する操作も携帯情報端末８２を用いて可能である。この場合、携帯情報端末８２から有効化したい電子鍵のＩＤ情報、端末ＩＤ、パスワードの各情報を送信し、送信された各情報がユーザに対応した適正なものである場合には、無効化された電子鍵が有効になり、電気錠５２の解錠及び施錠の操作が可能になる。
【符号の説明】
【００４６】
１０   電気錠システム
３０   ＨＥＭＳ
３６   ＣＰＵ
３８   ＲＯＭ
４０   ＲＡＭ
４２   入出力ポート
４４   バス
４６   表示部
４８   操作部
５０   メモリ
５２   電気錠
５４   終端装置
６６   ドア
７２   室内操作盤
８０   ネットワーク
８２   携帯情報端末
９０   情報サーバ
１００ 建物
【図１】
2015218566.tif 000003
【図２】
2015218566.tif 000004
【図３】
2015218566.tif 000005
【図４】
2015218566.tif 000006
【図５】
2015218566.tif 000007
【図６】
2015218566.tif 000008
【図７】
2015218566.tif 000009